(57)【要約】【課題】操作性が良くなり、制動状態の識別が容易になり、制動が更に安定し、騒音が減少し、全体の構造が強化され、使用の安全性が向上する二踏み板付き脚輪を提供する。【解決手段】独立の制動及び解放機能を有し、本体１０と、係止装置２０と、脚輪装置３０と、制動装置４０と、を含む二踏み板付き脚輪Ａであって、本体１０には、係止装置２０と、脚輪装置３０と、制動装置４０とが設けられており、係止装置２０には、本体１０の一端に設けられ制動装置４０に押付けられる係止具２５が設けられており、脚輪装置３０は、本体１０の両側に設けられており、制動装置４０に押付けられることが可能であり、制動装置４０には、解放具４１と、作動具４２と、ストッパー４３とが設けられており、解放具４１は、本体１０内に枢着され、一端に解放部４１０が設けられ、作動具４２は、本体１０内に枢着され、一端に作動部４２１が設けられている。【選択図】図１
2009248836.tif 000002
【特許請求の範囲】
【請求項１】
独立の制動及び解放機能を有し、本体と、係止装置と、脚輪装置と、制動装置と、を含む二踏み板付き脚輪であって、
前記本体には、前記係止装置と、前記脚輪装置と、前記制動装置とが設けられており、
前記係止装置には、前記本体の一端に設けられ前記制動装置に押付けられる係止具が設けられており、
前記脚輪装置は、前記本体の両側に設けられており、前記制動装置に押付けられ可能であり、
前記制動装置には、解放具と、作動具と、ストッパーと、が設けられており、前記解放具は、前記本体内に枢着されており、一端に解放部が設けられており、前記作動具は、前記本体内に枢着されており、一端に作動部が設けられており、前記解放具の解放部と、前記作動具の作動部とが外部に突出しており、前記本体の内部において、前記解放具と前記作動具の他端は前記ストッパーに枢着されており、前記ストッパーの他端は、前記本体内に枢着されており、前記係止装置の係止具及び前記脚輪装置に向いている一端に止め部と押付部とが延びており、前記解放具の解放部と、前記作動具の作動部とが作動しているときに、前記ストッパーの止め部と押付部は、前記係止装置の係止具と前記脚輪装置に同期に押付け、又は押付けないことを特徴とする、二踏み板付き脚輪。
【請求項２】
前記本体には、前記係止装置が設けられた収容部と、二つ以上の合せ体とが設けられており、前記合せ体は前記収容部の近傍に設けられており、前記合せ体には、挿入部と、二つ以上の貫通部と、複数の挿入部とが設けられており、前記挿入部には前記脚輪装置が設けられており、前記貫通部には前記制動装置が設けられており、前記挿入部には底カバーが設けられていることを特徴とする、請求項１に記載の二踏み板付き脚輪。
【請求項３】
前記係止装置には、固定具と、合せ具と、軸受具と、少なくとも一つの介在具と、係止具とが設けられており、前記固定具は、一端が精密計器に設けられており、他端が前記合せ具と、前記軸受具と、前記介在具と、前記係止具とに貫入しており、前記合せ具は、前記収容部の外部に設けられ、その上で貫通部が設けられており、前記貫通部が軸受具に貫入しており、前記軸受具は前記介在具の一面に設けられ、前記介在具の他面には係止具が設けられており、前記係止具には、前記挿入固定具を設置可能な貫入部と、前記制動装置を設置可能な係り部とが設けられていることを特徴とする、請求項１に記載の二踏み板付き脚輪。
【請求項４】
前記脚輪装置には、少なくとも一対のケースと、少なくとも一対のリングと、少なくとも一対の受動具と、少なくとも一対の軸受具と、シャフトと、が設けられており、前記ケースは、前記リング及び前記軸受具が前記受動具の一端に設けられており、前記シャフトは、前記合せ体及び前記軸受具を挿通しており、前記軸受具の偏りを規制しており、前記ケースには前記受動具に設けられた二つ以上の挿入係止部が設けられており、前記リングが前記受動具を嵌めており、前記受動具には、前記ケースの挿入係止部に合せ可能な貫通部及び複数の歯形状を呈する係り部が設けられており、前記貫通部には前記ケースの挿入係止部が貫入しており、前記係り部には制動装置が挿入されており、前記本体の外側及び前記受動具の中央には軸受具が設けられており、前記シャフトは、前記本体及び前記軸受具を挿通し、前記軸受具の偏りを規制することを特徴とする、請求項１に記載の二踏み板付き脚輪。
【請求項５】
前記制動装置には、解放具と、作動具と、ストッパーと、が設けられており、前記解放具と作動具が前記ストッパーと本体に枢着されており、前記解放具を前記作動具と前記本体に枢着するために、前記解放具には連接部が設けられており、前記作動具には二つ以上の連結部が設けられており、前記連結部と前記解放具の連接部とに枢軸が挿通しており、前記作動具の連結部にはストッパーが枢着されていることを特徴とする、請求項１に記載の二踏み板付き脚輪。
【請求項６】
前記ストッパーには、合せ部と、弾性具と、係合部と、止め部と、押付部と、が設けられており、前記合せ部と前記作動具の連結部とには枢軸が挿通しており、前記弾性具は、係合部に設けられており、前記本体に押付けており、前記係合部は前記本体に枢着されていることを特徴とする、請求項５に記載の二踏み板付き脚輪。
【請求項７】
底カバーを係るために、前記本体には挿入部が複数に設けられており、前記底カバーには係り部が複数に設けられており、前記係り部が前記挿入部に係れていることを特徴とする、請求項１に記載の二踏み板付き脚輪。
【請求項８】
独立の制動及び解放機能を有し、本体と、係止装置と、脚輪装置と、制動装置と、を含む二踏み板付き脚輪であって、
前記本体には、収容部と、二つ以上の合せ体とが設けられており、前記収容部には係止装置が設けられており、前記収容部の近傍には前記合せ体が設けられており、前記合せ体には、挿入部と、二つ以上の貫通部とが設けられており、前記挿入部には脚輪装置が設けられており、前記貫通部には制動装置が設けられており、
前記係止装置は、固定具と、合せ具と、円形を呈する軸受具と、少なくとも一つの介在具と、係止具と、を有し、前記固定具は、一端が精密計器に設けられており、他端は、前記合せ具と、前記軸受具と、前記介在具とに貫入しており、その一端に固定具が設けられており、前記合せ具は、前記収容部の外部に設けられ、その上で貫通部が開設されており、前記貫通部に軸受具が貫入されており、前記軸受具は、前記収容部の内部に設けられ、一つ以上の介在具が設けられており、前記介在具の他端には係止具が設けられており、前記係止具には挿入固定具を設置するための貫入部が設けられており、前記係り部には制動装置が係られており、
前記脚輪装置は、少なくとも一対のケースと、少なくとも一対のリングと、少なくとも一対の受動具と、少なくとも一対の軸受具と、シャフトと、が設けられており、前記ケース、前記リング及び前記軸受具が前記受動具に設けられており、前記シャフトは、前記合せ体及び前記軸受具を挿通しており、前記軸受具の偏りを規制しており、前記ケースには前記受動具に設けられた一つ以上の挿入係止部が設けられており、前記挿入係止部は前記受動具に設けられており、前記リングが前記受動具の自由端を嵌めており、前記受動具には、前記ケースの挿入係止部に合せ可能な貫通部及び複数の歯形状を呈する係り部が設けられており、前記貫通部には前記ケースの挿入係止部が貫入しており、前記係り部には制動装置が挿入されており、前記本体の合せ体及び前記受動具の中央には軸受具が設けられており、前記シャフトは、前記本体の合せ体及び前記軸受具を挿通し、前記軸受具の偏りを規制しており、
前記制動装置には、解放具と、作動具と、ストッパーと、が設けられており、前記解放具は、前記本体内に枢着されており、一端に解放部が設けられており、前記作動具は、前記本体内に枢着されており、一端に作動部が設けられており、前記解放具の解放部と、前記作動具の作動部とが外部に突出しており、前記本体の内部において、前記解放具と前記作動具の他端は前記ストッパーに枢着されており、前記ストッパーの他端は、前記本体内に枢着されており、前記係止装置の係止具及び前記脚輪装置に向いている一端に止め部と押付部とが延びており、前記解放具の解放部と、前記作動具の作動部とが作動しているときに、前記ストッパーの止め部と押付部は、前記係止装置の係止具と前記脚輪装置に同期に押付け、又は押付けないことを特徴とする、二踏み板付き脚輪。
【請求項９】
前記制動装置の解放具と作動具は前記ストッパーと前記本体内の端部に枢着されており、前記解放具に連接部が設けられており、前記連接部及び枢軸により前記解放具が前記ストッパーと前記本体内の端部に枢着され、前記作動具には二つ以上の連結部が設けられており、前記連結部と前記解放具の連接部とに枢軸が挿通されており、前記ストッパーには前記作動部の連結部が枢着されていることを特徴とする、請求項８に記載の二踏み板付き脚輪。
【請求項１０】
前記ストッパーには、合せ部と、弾性具と、係合部と、止め部と、押付部と、が設けられており、前記合せ部と前記作動具の連結部とには枢軸が挿通しており、前記弾性具は、係合部に設けられており、前記本体の合せ体の内面に押付けており、前記係合部は前記本体の合せ体の貫通部に枢着されており、前記止め部と前記押付部とは、前記解放具と前記作動具との制動又は解放に合せて、前記係止装置の係止具の係り部と、前記脚輪装置の受動具の係止部とに押付け可能であることを特徴とする、請求項８に記載の二踏み板付き脚輪。
【請求項１１】
内部へのゴミの侵入を防止するために、前記本体の前記係止装置と前記脚輪装置の間には底カバーが設けられており、前記本体の挿入部には前記底カバーが係られており、前記本体には挿入部が複数に設けられていることを特徴とする、請求項８に記載の二踏み板付き脚輪。
【発明の詳細な説明】
【技術分野】
【０００１】
本発明は、二踏み板付き脚輪に係り、特に、精密計器に適用可能な二踏み板付き脚輪に関するものである。
【背景技術】
【０００２】
従来の脚輪は、例えば台湾特許第３３９０４３号の「脚輪」に記載のように、脚輪の枠の上端に張設台が設けられており、張設台の前端に制動装置が設けられており、張設台の側板には互いに対称とする貫通孔が開設されており、前記側板の前端のラグでは枢着穴が設けられており、前記側板の内側の前記ラグに近接する箇所は縦サイドプレートに形成され、前記縦サイドプレートの末端には後ろに延びているサイド押付板が設けられており、前記縦サイドプレートと前記サイド押付板とに囲まれる区域には水平な係合ブロックが設けられており、また、サイドプレートには連結具が設けられているので、操作性が降下し、使用の安定性が降下し、作製が困難になり、生産コストが増加し、且つ全体が変形し易いという欠点があった。
【特許文献１】台湾特許第３３９０４３号公報
【発明の開示】
【発明が解決しようとする課題】
【０００３】
本発明の主な目的は、操作性が良くなり、制動状態の識別が容易になり、制動が更に安定し、騒音が減少し、全体の構造が強化され、使用の安全性が向上する二踏み板付き脚輪を提供することにある。
【課題を解決するための手段】
【０００４】
本発明の請求項１に記載の二踏み板付き脚輪によると、独立の制動及び解放機能を有し、本体と、係止装置と、脚輪装置と、制動装置と、を含む二踏み板付き脚輪であって、前記本体には、前記係止装置と、前記脚輪装置と、前記制動装置とが設けられており、前記係止装置には、前記本体の一端に設けられ前記制動装置に押付けられる係止具が設けられており、前記脚輪装置は、前記本体の両側に設けられており、前記制動装置に押付けられ可能であり、前記制動装置には、解放具と、作動具と、ストッパーと、が設けられており、前記解放具は、前記本体内に枢着されており、一端に解放部が設けられており、前記作動具は、前記本体内に枢着されており、一端に作動部が設けられており、前記解放具の解放部と、前記作動具の作動部とが外部に突出しており、前記本体の内部において、前記解放具と前記作動具の他端は前記ストッパーに枢着されており、前記ストッパーの他端は、前記本体内に枢着されており、前記係止装置の係止具及び前記脚輪装置に向いている一端に止め部と押付部とが延びており、前記解放具の解放部と、前記作動具の作動部とが作動しているときに、前記ストッパーの止め部と押付部は、前記係止装置の係止具と前記脚輪装置に同期に押付け、又は押付けないことを特徴とする二踏み板付き脚輪である。
【０００５】
本発明の請求項２に記載の二踏み板付き脚輪によると、前記本体には、前記係止装置が設けられた収容部と、二つ以上の合せ体とが設けられており、前記合せ体は前記収容部の近傍に設けられており、前記合せ体には、挿入部と、二つ以上の貫通部と、複数の挿入部とが設けられており、前記挿入部には前記脚輪装置が設けられており、前記貫通部には前記制動装置が設けられており、前記挿入部には底カバーが設けられている。
【０００６】
本発明の請求項３に記載の二踏み板付き脚輪によると、前記係止装置には、固定具と、合せ具と、軸受具と、少なくとも一つの介在具と、係止具とが設けられており、前記固定具は、一端が精密計器に設けられており、他端が前記合せ具と、前記軸受具と、前記介在具と、前記係止具とに貫入しており、前記合せ具は、前記収容部の外部に設けられ、その上で貫通部が設けられており、前記貫通部が軸受具に貫入しており、前記軸受具は前記介在具の一面に設けられ、前記介在具の他面には係止具が設けられており、前記係止具には、前記挿入固定具を設置可能な貫入部と、前記制動装置を設置可能な係り部とが設けられている。
【０００７】
本発明の請求項４に記載の二踏み板付き脚輪によると、前記脚輪装置には、少なくとも一対のケースと、少なくとも一対のリングと、少なくとも一対の受動具と、少なくとも一対の軸受具と、シャフトと、が設けられており、前記ケースは、前記リング及び前記軸受具が前記受動具の一端に設けられており、前記シャフトは、前記合せ体及び前記軸受具を挿通しており、前記軸受具の偏りを規制しており、前記ケースには前記受動具に設けられた二つ以上の挿入係止部が設けられており、前記リングが前記受動具を嵌めており、前記受動具には、前記ケースの挿入係止部に合せ可能な貫通部及び複数の歯形状を呈する係り部が設けられており、前記貫通部には前記ケースの挿入係止部が貫入しており、前記係り部には制動装置が挿入されており、前記本体の外側及び前記受動具の中央には軸受具が設けられており、前記シャフトは、前記本体及び前記軸受具を挿通し、前記軸受具の偏りを規制する。
【０００８】
本発明の請求項５に記載の二踏み板付き脚輪によると、前記制動装置には、解放具と、作動具と、ストッパーと、が設けられており、前記解放具と作動具が前記ストッパーと本体に枢着されており、前記解放具を前記作動具と前記本体に枢着するために、前記解放具には連接部が設けられており、前記作動具には二つ以上の連結部が設けられており、前記連結部と前記解放具の連接部とに枢軸が挿通しており、前記作動具の連結部にはストッパーが枢着されている。
【０００９】
本発明の請求項６に記載の二踏み板付き脚輪によると、前記ストッパーには、合せ部と、弾性具と、係合部と、止め部と、押付部と、が設けられており、前記合せ部と前記作動具の連結部とには枢軸が挿通しており、前記弾性具は、係合部に設けられており、前記本体に押付けており、前記係合部は前記本体に枢着されている。
【００１０】
本発明の請求項７に記載の二踏み板付き脚輪によると、底カバーを係るために、前記本体には挿入部が複数に設けられており、前記底カバーには係り部が複数に設けられており、前記係り部が前記挿入部に係れている。
【００１１】
本発明の請求項８に記載の二踏み板付き脚輪によると、独立の制動及び解放機能を有し、本体と、係止装置と、脚輪装置と、制動装置と、を含む二踏み板付き脚輪であって、前記本体には、収容部と、二つ以上の合せ体とが設けられており、前記収容部には係止装置が設けられており、前記収容部の近傍には前記合せ体が設けられており、前記合せ体には、挿入部と、二つ以上の貫通部とが設けられており、前記挿入部には脚輪装置が設けられており、前記貫通部には制動装置が設けられており、前記係止装置は、固定具と、合せ具と、円形を呈する軸受具と、少なくとも一つの介在具と、係止具と、を有し、前記固定具は、一端が精密計器に設けられており、他端は、前記合せ具と、前記軸受具と、前記介在具とに貫入しており、その一端に固定具が設けられており、前記合せ具は、前記収容部の外部に設けられ、その上で貫通部が開設されており、前記貫通部に軸受具が貫入されており、前記軸受具は、前記収容部の内部に設けられ、一つ以上の介在具が設けられており、前記介在具の他端には係止具が設けられており、前記係止具には挿入固定具を設置するための貫入部が設けられており、前記係り部には制動装置が係られており、前記脚輪装置は、少なくとも一対のケースと、少なくとも一対のリングと、少なくとも一対の受動具と、少なくとも一対の軸受具と、シャフトと、が設けられており、前記ケース、前記リング及び前記軸受具が前記受動具に設けられており、前記シャフトは、前記合せ体及び前記軸受具を挿通しており、前記軸受具の偏りを規制しており、前記ケースには前記受動具に設けられた一つ以上の挿入係止部が設けられており、前記挿入係止部は前記受動具に設けられており、前記リングが前記受動具の自由端を嵌めており、前記受動具には、前記ケースの挿入係止部に合せ可能な貫通部及び複数の歯形状を呈する係り部が設けられており、前記貫通部には前記ケースの挿入係止部が貫入しており、前記係り部には制動装置が挿入されており、前記本体の合せ体及び前記受動具の中央には軸受具が設けられており、前記シャフトは、前記本体の合せ体及び前記軸受具を挿通し、前記軸受具の偏りを規制しており、前記制動装置には、解放具と、作動具と、ストッパーと、が設けられており、前記解放具は、前記本体内に枢着されており、一端に解放部が設けられており、前記作動具は、前記本体内に枢着されており、一端に作動部が設けられており、前記解放具の解放部と、前記作動具の作動部とが外部に突出しており、前記本体の内部において、前記解放具と前記作動具の他端は前記ストッパーに枢着されており、前記ストッパーの他端は、前記本体内に枢着されており、前記係止装置の係止具及び前記脚輪装置に向いている一端に止め部と押付部とが延びており、前記解放具の解放部と、前記作動具の作動部とが作動しているときに、前記ストッパーの止め部と押付部は、前記係止装置の係止具と前記脚輪装置に同期に押付け、又は押付けないことを特徴とする二踏み板付き脚輪である。
【００１２】
本発明の請求項９に記載の二踏み板付き脚輪によると、前記制動装置の解放具と作動具は前記ストッパーと前記本体内の端部に枢着されており、前記解放具に連接部が設けられており、前記連接部及び枢軸により前記解放具が前記ストッパーと前記本体内の端部に枢着され、前記作動具には二つ以上の連結部が設けられており、前記連結部と前記解放具の連接部とに枢軸が挿通されており、前記ストッパーには前記作動部の連結部が枢着されている。
【００１３】
本発明の請求項１０に記載の二踏み板付き脚輪によると、前記ストッパーには、合せ部と、弾性具と、係合部と、止め部と、押付部と、が設けられており、前記合せ部と前記作動具の連結部とには枢軸が挿通しており、前記弾性具は、係合部に設けられており、前記本体の合せ体の内面に押付けており、前記係合部は前記本体の合せ体の貫通部に枢着されており、前記止め部と前記押付部とは、前記解放具と前記作動具との制動又は解放に合せて、前記係止装置の係止具の係り部と、前記脚輪装置の受動具の係止部とに押付け可能である。
【００１４】
本発明の請求項１１に記載の二踏み板付き脚輪によると、内部へのゴミの侵入を防止するために、前記本体の前記係止装置と前記脚輪装置の間には底カバーが設けられており、前記本体の挿入部には前記底カバーが係られており、前記本体には挿入部が複数に設けられている。
【発明の効果】
【００１５】
本発明の二踏み板付き脚輪によれば、操作性が良くなり、制動状態の識別が容易になり、制動が更に安定し、騒音が減少し、全体の構造が強化され、使用の安全性が向上するという効果を奏する。
【発明を実施するための最良の形態】
【００１６】
以下、本発明の実施の形態を図面に基づいて説明する。
【００１７】
まず、図１乃至図５を参照する。本発明に係る二踏み板付き脚輪Ａは、精密計器に適用可能であり、本体１０を有し、本体１０には、係止装置２０と、脚輪装置３０と、制動装置４０と、底カバー５０と、が設けられており、制動装置４０は係止装置２０と脚輪装置３０の間に設けられ、内部へのゴミの侵入を防止するために、係止装置２０と脚輪装置３０の間には底カバー５０が設けられており、本体１０の制動装置４０の制動及び解放の作動により、係止装置２０と脚輪装置３０とに対する係止が楽で安定し、一方、底カバー５０により内部へのゴミの侵入を防止可能であるので、本発明に係る二踏み板付き脚輪Ａの回転は、更に、安定し、スムーズになる。
【００１８】
本体１０は、係止装置２０を収容することができ円形を呈する収容部１１と、収容部１１の近傍には、片状を呈し互いに対向している合せ体１２設けられており、合せ体１２には、挿入部１２０と、二つ以上の貫通部１２１Ａ，１２０Ｂと、複数の挿入部１２２とが設けられており、挿入部１２０には脚輪装置３０が設けられており、貫通部１２１Ａ，１２０Ｂには制動装置４０が設けられており、挿入部１２２には底カバー５０が設けられている。
【００１９】
係止装置２０には、固定具２１と、合せ具２２と、軸受具２３と、少なくとも一つの介在具２４と、円盤形状を呈する係止具２５と、固定具２６と、が設けられており、固定具２１は、一端が精密計器に設けられており、他端は、合せ具２２と、軸受具２３と、介在具２４と、に貫入しており、その自由端に係止具が設けられており、合せ具２２は、収容部１１をカバーし、貫通部２２０を有し、貫通部２２０は軸受具２３を挿通しており、軸受具２３は、収容部１１内に設けられており、下面に介在具２４が設けられており、介在具２４の他端に係止具２５が設けられており、係止具２５には挿入固定具２１を挿通する貫入部２５０が開設されており、係り部２５１には制動装置４０が係れており、固定具２６は挿入固定具２１の一端に固定されている。
【００２０】
脚輪装置３０には、少なくとも一対のケース３１と、少なくとも一対のリングと３２、少なくとも一対の受動具３３と、少なくとも一対の軸受具３４と、シャフト３６と、が設けられており、ケース３１は、垂直端にピンが一つ以上設けられており、受動具３３に設けられた挿入係止部３１０が開設されており、リング３２は受動具３３の自由端に回動自在に嵌められており、受動具３３には、ケース３１の挿入係止部３１０に合せ可能な貫通部３３０及び複数の歯形状を呈する係り部３３１が設けられており、貫通部３３０にはケース３１の挿入係止部３１０が貫入しており、係り部３３１には制動装置４０が挿入されており、合せ体１２の外側及び受動具３３の中央には軸受具３４が設けられており、シャフト３６は、合せ体１２及び軸受具３４を挿通し、軸受具３４の偏りを規制している。
【００２１】
制動装置４０には、解放具４１と、く字形を呈する作動具４２と、ストッパー４３と、が設けられており、解放具４１は、一端に解放部４１０が設けられており、他端には作動具４２と合せ体１２との貫通部１２０Ｂに枢着されている連接部４１１が設けられており、連接部４１１の他端が作動具４２に枢着されており、作動具４２は、一端に連結部４２０Ａ，４２０Ｂが二つ以上設けられており、他端にスライドを止めるための作動部４２１が設けられており、連結部４２０Ａは、解放具の連接部４１１の他端に枢着されており、合せ体１２の貫通部１２０Ｂに設けられており、連結部４２０Ｂは、ストッパー４３の一端に設けられており、枢軸を挿入可能であり、ストッパー４３には、合せ部４３０と、弾性具４３１と、一対の係合部４３２と、一対の止め部４３３と、一対の押付部４３４と、が設けられており、枢軸により合せ部４３０が作動具４２の連結部４２０Ｂに枢着され、弾性具４３１は、係合部４３２の間に設けられており、合せ体１２の内面に押付けており、係合部４３２は合せ体１２の貫通部１２０に枢着されており、止め部４３３と押付部４３４とは、解放具４１と作動具４２との制動又は解放に合せて、係止装置２０の係止具２５の係り部２５１と、脚輪装置３０の受動具３３の係止部３３１とに押付け可能である。
【００２２】
底カバー５０は、一体成形された片体であり、本体１０へ延びている係り部５１が設けられており、係り部５１は本体１０の挿入部１２２に安定に係られており、これにより、脚輪装置３０のゴミによる回動不順調を防止することができる。また、脚輪の制動及び解放の切替は、図４及び図５に示すように、制動装置４０の作動具４２を踏み込むと、作動具４２がストッパー４３を連動して解放具４１を駆動し、これにより、ストッパー４３の止め部４３３は脚輪装置３０の受動具３３の係り部３３１に押付けるようになり、且つ押付部４３４が係止装置２０の係止具２５の一端の係り部２５１に押付けるようになり、このように、止め部４３３及び押付部４３４が係止装置２０及び脚輪装置３０に確実に押付けるようになるので、脚輪が安定に止められるようになる。一方、使用時に制動装置４０の解放具４１と作動具４２とが上下に分けられた状態になり、だから、本発明の二踏み板付き脚輪Ａによれば、操作性が良くなり、制動状態の識別が容易になり、制動が更に安定し、騒音が減少し、全体の構造が強化され、使用の安全性が向上する。
【図面の簡単な説明】
【００２３】
【図１】本発明の全体の構造の組合せ状態を示す斜視図である。
【図２】本発明の全体の構造を示す分解斜視図である。
【図３】本発明の平常時の状態を示す断面図である。
【図４】本発明の動作状況を示す斜視図である。
【図５】本発明の使用状態を示す断面図である。
【符号の説明】
【００２４】
１０      本体
１１      収容部
１２      合せ体
２０      係止装置
２１      挿入固定
２２      合せ具
２３      軸受具
２４      介在具
２５      係止具
２６      固定具
３０      脚輪装置
３１      ケース
３２      リング
３３      受動具
３４      軸受具
３６      シャフト
４０      制動装置
４１      解放具
４２      作動具
４３      ストッパー
５０      底カバー
５１      係り部
１２０    挿入部
１２１Ａ  貫通部
１２０Ｂ  貫通部
２２０    貫通部
２５０    貫入部
２５１    係り部
３１０    挿入係止部
３３０    貫通部
３３１    係止部
４１０    解放部
４１１Ａ  連接部
４１１Ｂ  連接部
４２０Ａ  連結部
４２０Ｂ  連結部
４２１    作動部
４３０    合せ部
４３１    弾性具
４３２    係合部
４３３    止め部
４３４    押付部
【図１】
2009248836.tif 000003
【図２】
2009248836.tif 000004
【図３】
2009248836.tif 000005
【図４】
2009248836.tif 000006
【図５】
2009248836.tif 000007